(57)【特許請求の範囲】
【請求項１】
紙材料からなる単一ブランクから形成され、底壁と、天壁と、前記底壁と前記天壁を接続する裏側壁とからなる包装箱において、
前記単一ブランクに、
少なくとも２つの折り曲げ線を設けて、該折り曲げ線の間に前記裏側壁を形成するととともに、前記折り曲げ線の両側に前記底壁と前記天壁を形成し、
さらに前記折り曲げ線の両端に切込み部を設けて、
前記単一のブランクを絞り加工することにより、前記底壁と前記天壁のそれぞれの周縁部に側壁を形成するとともに、該側壁の上端から外方に突出するリムを形成して、
前記単一のブランクを前記折り曲げ線に沿って折り曲げて前記リムを重ね合せることで、前記底壁、天壁、裏側壁及び側壁で収容空間を構成したもので、
前記裏側壁の両端部に前記折り曲げ線を接続する折目線を更に設けて、該折目線の外側に内ヒレを形成するとともに、
前記切込み部の幅を前記折り曲げ線の間隔より広くし、前記折目線の両端から前記切込み部の角まで延びる折り畳み線を形成したことを特徴とする包装箱。
【請求項２】
前記単一ブランクが段ボールからなることを特徴とする請求項１に記載の包装箱。
【発明の詳細な説明】
【０００１】
【発明の属する技術分野】
本発明は、例えば、ピザやハンバーガーなどの内容物を包装するための紙材料からなる身ふた一体型の包装箱に関する。
【０００２】
【従来の技術】
従来、紙材料からなる身ふた一体型の包装箱としては、下記特許文献１−３に示すように、紙材料を打抜き、外周部に設けられたフラップを立ち上げて側壁を形成するものが知られている。
【０００３】
【特許文献１】
米国特許第５，２０５，４７６号
【特許文献２】
米国特許第５，２２６，５８７号
【特許文献３】
米国特許第５，３７９，９３４号
【０００４】
【発明が解決しようとする課題】
しかしながら、前記従来の包装箱はフラップの立ち上げに手間がかかり、組み立て作業が煩わしかった。
【０００５】
そこで、本発明は、紙材料を絞り加工することにより形成可能な身ふた一体型の包装箱を提供することを課題とする。
【０００６】
【課題を解決するための手段】
本発明は、前記課題を解決するための手段として、紙材料からなる単一ブランクから形成され、底壁と、天壁と、前記底壁と前記天壁を接続する裏側壁とからなる包装箱において、前記単一ブランクに、少なくとも２つの折り曲げ線を設けて、該折り曲げ線の間に前記裏側壁を形成するととともに、前記折り曲げ線の両側に前記底壁と前記天壁を形成し、さらに前記折り曲げ線の両端に切込み部を設けて、前記単一のブランクを絞り加工することにより、前記底壁と前記天壁のそれぞれの周縁部に側壁を形成するとともに、該側壁の上端から外方に突出するリムを形成して、前記単一のブランクを前記折り曲げ線に沿って折り曲げて前記リムを重ね合せることで、前記底壁、天壁、裏側壁及び側壁で収容空間を構成したもので、前記裏側壁の両端部に前記折り曲げ線を接続する折目線を更に設けて、該折目線の外側に内ヒレを形成するとともに、前記切込み部の幅を前記折り曲げ線の間隔より広くし、前記折目線の両端から前記切込み部の角まで延びる折り畳み線を形成したものである。
【０００７】
前記発明では、前記紙材料に設けられた前記折り曲げ線を折目にして前記紙材料を谷折りすることにより、底壁、天壁、裏側壁及び側壁で収容空間を構成した身ふた一体型の包装箱となる。
【０００８】
【発明の実施の形態】
以下、本発明の実施の形態を添付図面にしたがって説明する。
【０００９】
図１は、本発明に係る実施形態の前提となる参考例の包装箱１の展開図であって、段ボール等の紙材料の単一ブランク１ａからなり、この参考例においては、厚さ１．５ｍｍのＥフルート段ボールが使用されている。前記ブランク１ａは、その中央部に折り曲げ線２ａ，ｂが設けられている。この折り曲げ線２ａ，２ｂの両端部には、前記折り曲げ線２ａ，ｂを接続する折目線７ａ，ｂが設けられている。この折り曲げ線２ａ，ｂおよび折目線７ａ，ｂは、ブランク１ａの裁断時に、例えば図示しない木製上型下面に設けられた押罫部をブランク１ａに押し当てて、紙材料を押し潰して形成される。また、前記折り曲げ線２ａ，ｂの両端には、切込み部３ａ，ｂが設けられている。この切込み部３ａ，ｂは、前記ブランク１ａの外周縁から前記折目線７ａ，ｂの両端まで伸長して、折目線７ａ，ｂの外側に内ヒレ４ａ，ｂを形成している。
【００１０】
前記ブランク１ａの外周部には、図１に示すように、前記ブランク１ａの外周縁から所定距離だけ刃切り加工５が施されている。そして、前記ブランク１ａは、図２に示すように、絞り加工することにより前記折り曲げ線２ａ，ｂの両側に底壁１０と天壁１１が形成されるとともに、周縁部に側壁６と、該側壁６の上端から外方に突出するリム８ａ，８ｂとが形成される。この側壁６の前記刃切り加工５が形成された部分は、側壁６の湾曲部となっている。また、絞り加工時にブランク１ａは、切込み部３ａ，ｂを有するので破断しない。折り曲げ線２ａ，ｂの間は、裏側壁６ａとなる。
【００１１】
前記包装箱１に内容物を収容するとき、内ヒレ４ａ，ｂを折目線７ａ，ｂ（図１に図示）を折目にして谷折りした状態で、包装箱１を折り曲げ線２ａ，ｂを折目にして谷折りし、図３に示すように、包装箱１の外周縁に形成されたリム８ａ，ｂ同士を重ね合わせる。これにより、包装箱１の底壁１０、天壁１１、裏側壁６ａおよび側壁６の間に収容空間が形成され、この収容空間に内容物が収容される。このとき、内ヒレ４ａ，ｂが底壁１０および天壁１１の内面に当接しているので、包装箱１がつぶれることを防止できる。底壁１０と天壁１１は輪ゴム、テープ等の適宜の固定手段により固定される。また、前記包装箱１を取り出すとき、段ボールの反発力により天壁１１が開くため内容物を取り出し易い。
【００１２】
本実施形態の包装箱１は、図４Ａ，Ｂに示すように、折り曲げ線２ａ，ｂの間隔より幅広の切込み部３ａ，ｂと、折目線７ａ，ｂの両端から切込み部３ａ，ｂの角まで延びる折り畳み線９ａ，ｂを設けている。これにより、完全に密閉することができる。
【００１３】
なお、前記実施形態では、包装箱１の形状を略長方形にしたが、略正方形や半円であってもよい。
【００１４】
また、包装箱１の紙材料１ａは、Ｅフルート段ボールに限らず、厚さ１．５ｍｍより厚いまたは単紙などの薄い紙材料を用いてもよい。さらに、段ボール紙の片面のライナーがないものであってもよい。
【００１５】
【発明の効果】
以上の説明から明らかなように、本発明によれば、折り曲げ線を折目にして紙材料を谷折りすることにより、簡単に組み立てることができる。
【図面の簡単な説明】
【図１】  本発明の参考例に係る包装箱の展開図。
【図２】  図１の包装箱を絞り加工した状態を示した斜視図。
【図３Ａ】  図２の包装箱を閉じた状態を示した斜視図。
【図３Ｂ】  図３Ａの包装箱の他の方向から見た斜視図。
【図４Ａ】  本発明の実施形態に係る包装箱を示した展開図。
【図４Ｂ】  図４Ａの包装箱の他の方向から見た斜視図。
【符号の説明】
１…包装箱、１ａ…ブランク、２ａ，ｂ…折り曲げ線、３ａ，ｂ…切込み部、４ａ，ｂ…内ヒレ、６ａ…裏側壁、６…側壁、７ａ，ｂ…折目線、８ａ，ｂ…リム、９ａ，ｂ…折り畳み線、１０…底壁、１１…天壁。
【図１】
0004362299.tif 000002
【図２】
0004362299.tif 000003
【図３Ａ】
0004362299.tif 000004
【図３Ｂ】
0004362299.tif 000005
【図４Ａ】
0004362299.tif 000006
【図４Ｂ】
0004362299.tif 000007